(57)【要約】【課題】  機能性シートにおいて、広巾のシートを複数の狭巾シートに裁断するにあたり、裁断に伴うシート端面の摺擦をなくし、裁断時の粉末発生を阻止することによって後工程に与える影響を解消する。【解決手段】  特に高機能性厚手，高硬度シートにおいて、広巾シートをシートの流れ方向に複数の狭巾シートに裁断するにあたり、シートＳの表裏少なくとも一面にシートの厚みの一部を残して裁断する上刃１又は／及び下刃２よりなる裁断刃を設けると共に、該裁断刃により裁断されたシートＳを折り曲げにより破断する折曲破断部を連続して設ける。  【選択図】    図１
0003145375.tif 000002
【実用新案登録請求の範囲】
【請求項１】
広巾シートをシートの流れ方向に複数の狭巾シートに裁断するシート裁断装置において、シートの表裏少なくとも一面にシートの厚みの一部を残して裁断する上刃又は／及び下刃よりなる裁断刃を設け、該裁断刃により裁断されたシートを折り曲げにより破断可能ならしめたことを特徴とするシート裁断装置。
【請求項２】
広巾シートをシートの流れ方向に複数の狭巾シートに裁断するシート裁断装置において、シートの表裏少なくとも一面にシートの厚みの一部を残して裁断する上刃又は／及び下刃よりなる裁断刃を設けると共に、該裁断刃により裁断されたシートを折り曲げ、破断する折曲破断部を連続して設けたことを特徴とするシート裁断装置。
【考案の詳細な説明】
【技術分野】
【０００１】
本考案は広巾シートを複数の狭巾シートに裁断するシート裁断装置の改良に関するものである。
【背景技術】
【０００２】
厚手シートや硬質のシートの裁断は通常、上下刃の回転するシェアーカット方式で行なわれている。シェアーカット方式での裁断装置は一般的に巻き取りシート巻き出し部と、裁断されたシートを巻き取る巻取り部と、両者の間に配備されたガイドローラ部及び裁断部によって構成され、裁断部は通常、図５に示す如くシートの上面側に上刃１を配置し、下面側に下刃２を配置して上刃及び下刃をシートの両面から挟み込む形でセットし、２枚の刃を同期回転させながら裁断するものである。（例えば特許文献１記載事項参照）
しかし、このシェアーカット方式による裁断は、同図に示すようにシートの厚み分を超えて上刃１と下刃２をかみ込ませるためシート裁断面を図６に示す如く上刃側，下刃側とも摺擦することになり、裁断に伴うシートの粉末がシート端あるいは上刃，下刃に付着し、後工程に多くの問題を残している。
【０００３】
殊に、昨今の機能性シートは如何なる微粉も、該シートを使用して製作される製品の品質に重大な影響を与えるためその使用に難点を有し、清浄対策が求められている。
【特許文献１】特開２００１−２６００７７号公報
【考案の開示】
【考案が解決しようとする課題】
【０００４】
本考案は上述の如き実状に対処し、特に上下刃の裁断方式に改良を見出すことにより、高機能シートの裁断において、裁断面の摺擦をなくし、裁断に伴う粉末の発生を阻止することによって製品製造を含む後工程に与える影響を解消し、上記難点を克服することを目的とするものである。
【課題を解決するための手段】
【０００５】
即ち、上記目的に適合する本考案シート裁断装置は、広巾シートをシートの流れ方向に複数の狭巾シートに裁断する装置において、シートの表裏少なくとも一面にシートの厚みの一部を残して裁断する上刃又は／及び下刃よりなる裁断刃を設け、該裁断刃により裁断されたシートを折り曲げにより破断可能ならしめた構成を特徴とする。
【０００６】
また、本考案は上記裁断刃により裁断されたシートを折り曲げ破断する折曲破断部を裁断位置に続いて設ける構成も特徴とする。特に本考案裁断装置は工業用，光学用などの高機能性厚手，高硬度シートの裁断において効果的である。
【考案の効果】
【０００７】
本考案は上記の如くシート裁断にあたり、シートの厚みの上面側，下面側の何れか一面又は両面に厚みの一部を裁断する上刃，下刃を押し込み、シート端面を上下刃で摺擦することなくシートに切り込みを入れ、その後、シートを折り曲げ破断させることにより容易に裁断できるようにしたので、シート裁断面を上刃，下刃で擦ることがなく裁断できるため、摺擦に伴う微粉末の付着がなく、裁断されたシートを使用して工業製品，光学製品などの製品を製造するにあたって製品の品質を阻害する影響を防ぐことができる。
【考案を実施するための最良の形態】
【０００８】
以下、更に本考案の裁断装置の具体的実施例を添付図面に基づいて説明する。図１は本考案裁断装置の１例を示し、厚手又は硬質のシートＳを裁断するため、シートＳの表裏両面に上刃１と下刃２が設けられており、この上刃１と下刃２はシートの厚み全部にわたることなく一部を残して切り欠きａが入れられるように構成されている。なお、図では上刃１，下刃２はシートの上下両面に設けられているが、裁断刃はシートの表裏何れか一面であってもよく、即ち、上刃１，下刃２の何れか一方であってもよい。
【０００９】
図２は上刃１，下刃２による本考案裁断装置による裁断態様を示し、図においてはシートＳの厚みの上面及び下面に鋭角の上下両刃１，２を押し込み、シートＳに切り欠きａを入れた後、図２（ロ），（ハ）に示すようにシートを折り曲げるようにして裁断を可能としている。ここで、シートＳに形成される切り欠きａの深さ、即ち、上刃１又は下刃２のシートへの食い込みはシートの厚みの全部にわたらない範囲であること、換言すれば少なくとも一部であることが肝要であり、好ましくは上刃１又は下刃２による一面切り込みの場合はシート厚みの１／２〜２／３程度が好適であり、上下両刃１，２による表裏両面切り込みの場合は上下夫々シート厚みの１／３程度が好適である。しかし、勿論、これに拘泥されないことは云うまでもない。
【００１０】
そして、上記切り込みの後はシート折り曲げによる破断が続けられるが、図３，図４は上刃１，下刃２による切り込み後の折曲破断の態様の１例であり、シート流れ方向において折り曲げガイドローラ（３−１），（３−２），（３−３），（３−４）を傾き方向を変えて交互に配置し、各折り曲げガイドローラ（３−１），（３−２），（３−３），（３−４）には夫々、押えローラ（４−１），（４−２），（４−３），（４−４）を設けて、該押えローラ（４−１）〜（４−４）で裁断刃１，２により切り込まれた狭巾シートＳを押さえ付けてシートに屈曲を付与してシートを破断し、裁断が行なわれる。ここで、図において折り曲げガイドローラは説明上、極端な傾きを付けているが、シートの硬さ，厚さにより最小の傾きが適当である。なお、図４における（イ），（ロ），（ハ），（ニ）は夫々、図３における各（イ），（ロ），（ハ），（ニ）図に対応する側面図である。
【００１１】
かくして上記折り曲げ破断により裁断されたときは、裁断面には従来のように上刃，下刃による摺擦は形成されないためシート裁断端に粉末が生じることがなく円滑な裁断面が得られ、シートを使用した機能性シート製品の品質向上を達成することができる。
【図面の簡単な説明】
【００１２】
【図１】本考案に係るシート裁断装置の１例を示す概要図である。
【図２】上記裁断装置による裁断態様を示す図であり、（イ）は裁断状態図、（ロ）は傾きを変えた折曲破断態様図である。
【図３】シート切り込み後の折曲破断態様を示し、（イ）は裁断状態図、（ロ），（ハ），（ニ）は傾きを変えた折曲破断態様図である。
【図４】上記図３における（イ），（ロ），（ハ），（ニ）各部に対応する側面を示す側面図である。
【図５】従来のシート裁断の態様を示す概要図である。
【図６】裁断部における上下刃の状況を示す説明図である。
【符号の説明】
【００１３】
Ｓ：シート
ａ：切り込み
１：上刃
２：下刃
３−１〜３−４：折り曲げガイドローラ
４−１〜４−４：押えローラ
【図１】
0003145375.tif 000003
【図２】
0003145375.tif 000004
【図３】
0003145375.tif 000005
【図４】
0003145375.tif 000006
【図５】
0003145375.tif 000007
【図６】
0003145375.tif 000008
【手続補正書】
【提出日】平成20年7月31日(2008.7.31)
【手続補正１】
【補正対象書類名】実用新案登録請求の範囲
【補正対象項目名】請求項１
【補正方法】変更
【補正の内容】
【請求項１】
広幅シートをシートの流れ方向に複数の狭巾シートに裁断するシート裁断装置において、裁断刃としてシートの表裏少なくとも一面にシートの厚みの一部を残して裁断する上刃又は／及び下刃よりなる裁断刃を設けたことを特徴とするシート裁断装置。